(57)【特許請求の範囲】
【請求項１】
本体内に配置された糊桶と、本体後部から糊桶上にシート状壁装材を取り込むピンチロールと、ピンチロールによって取り込まれたシート状壁装材の裏面にピンチロールの下流位置で糊桶内の糊を転写する糊付ロールと、糊付ロールの表面に糊桶内の糊を移す糊上げロールと、糊付ロールの糊量を調節するドクターロールと、これら各ロールの駆動系とを備え、ロールによる搬送でシート状壁装材を本体前方へ送りながらその裏面に連続的に糊を塗布する自動壁紙糊付機において、
ピンチロールと糊付ロールとの間の位置でシート状壁装材を表裏から挟む回転可能なロール対と、
シート状壁装材を挟んだ状態のままのロール対を、シート状壁装材が糊付ロールに対して糊転写のための所定の周長に亘る接触状態となる第１の位置から、シート状壁装材が糊付ロールに対して糊転写のための接触状態から離反した待避状態となる第２の位置へ選択的に移動させる可動機構と、
ロール対が第１の位置にあるときには駆動対象の全てのロールを予め定められた周速比で回転駆動する通常運転モードに、またロール対が第２の位置にあるときにはピンチロールによるシート状壁装材の搬送を停止した状態で糊付ロールと糊上げロールとドクターロールのみを回転駆動するアイドリング運転モードにロール駆動系を切換える駆動系切換機構と、
可動機構と駆動系切換機構を制御する制御装置と、を備え、
制御装置は、糊付動作の起動操作および／または一時停止後の再開操作に基づいて可動機構によりロール対が第２の位置にあることを条件に予め定められた時限に亘って駆動系切換機構によりロール駆動系をアイドリング運転モードに切り換え、前記時限の経過後に可動機構によりロール対を第１の位置に復帰させると共に駆動系切換機構によりロール駆動系を通常運転モードに切り換えるものであることを特徴とする自動壁紙糊付機。
【発明の詳細な説明】
【０００１】
【発明の属する技術分野】
本発明は、室内壁面等に貼付されるシート状壁装材の裏面に、連続的に糊を塗布する自動壁紙糊付機に関するものである。
【０００２】
【従来の技術】
従来から、一般的な自動壁紙糊付機では、その一例として側面側から透視して見た図４の概略構成図に示すように、糊付機本体１０１を構成する上部構体１０２及び下部構体１０３内に、複数のロール（１１０〜１１７）が互いにギアを介して配列されているものである。又、下部構体１０３内には、糊を収容している糊桶１０４が備えられている。
【０００３】
上部構体１０２内には、シート状壁装材（以下、クロスと記す）１００を糊付機本体１０１内に後部側から取り込むためのピンチロールを構成する上側ピンチロール１１０と、クロス１００に糊付機本体１０１の前部方向への送り出し張力を付与するためのドライブロール１１２と、これら上側ピンチロール１１０とドライブロール１１２との間でクロス１００を上から押さえて追従回転する押さえロール１１１とが、互いに所定間隔で平行に配列されるように、それぞれ上部構体１０２の側板に軸支されている。
【０００４】
また、下部構体１０３内には、前記上側ピンチロール１１０と対になってピンチロールを構成する下側ピンチロール１１３と、糊上げロール１１７から転写された糊をクロス１００裏面に塗布する糊付けロール１１５と、糊付けロール１１５に接して糊量を調節するドクターロール１１４と、前記ドライブロール１１２と共にクロス１００に適度な張力を与えて前部方向へ送り出す均しロール１１６とが、互いに所定間隔を持って平行に配列されるように、下部構体１０３の側板に軸支されている。また糊上げロール１１７は、糊桶１０４の内部両側面に軸支されている。
【０００５】
図５の下部構体１０３内の部分概略図である、上方から見た平面図（ａ）、Ｘ−Ｘ部分縦切断端面図（ｂ）に示すように、糊付機外面には駆動制御装置Ｍ１が取付けられており、駆動制御装置Ｍ１内のモータの回転軸に、糊付けロール１１５の一端側の回転軸が連結されており、モータの駆動によって糊付けロール１１５が回転駆動される。駆動制御装置Ｍ１へ入力された作動条件等の制御情報を含む作動命令によって糊付けロール１１５がモータによって回転駆動されると、糊付けロール１１５にギアを介して連結されている他のロール（１１３〜１１７）も連動して回転駆動する。
【０００６】
上記の如き構成の壁紙糊付機を用いた糊付け作業においては、まず、下部構体１０３に対して上部構体１０２を開いた状態とし、糊付機本体１０１の後部に取付けられたスリッタ１２０を通過して所定幅に調整されるクロス１００の先端を引き出し、その先端が本体全面側に垂れるようにクロス１００を下側ピンチロール１１３，糊付けロール１１５，均しロール１１６の上に載せ、上部構体１０２を閉じ、クロス１００の挟み込み状態を得る。
【０００７】
この用にクロス１００がセットされた状態において、駆動制御装置Ｍ１からの初期設定指令によって、初期設定量だけ駆動が開始される。この初期駆動によってギアでそれぞれ連結された各ロールが所定の周速比で回転を始めると、糊上げロール１１７が糊桶１０４内の糊を載せ上げつつ、糊付けロール１１５へ糊を転写する。糊付けロール１１５の表面へ転写された糊は、ドクターロール１１４で所定量に調整されたのち、押さえロール糊付けロール１１５の頭頂部に送られてくるクロス１００の裏面に転写塗布される。
【０００８】
糊付けされたクロス１００は、その後ドライブロール１１２と均しロール１１６とによって張力を与えられた状態で牽引され、均しロール１１６による糊面の均しが行われつつ本体前面に送り出されてくる。初期設定量分のクロス１００裏面への糊付けが行われたら、駆動制御装置Ｍ１からの停止命令により装置の駆動を一旦止めて、先端の糊付けされていない不要なクロス１００部分をカッタで切断して初期設定を終了する。
【０００９】
この初期設定終了後、実際に必要なクロス長等の条件設定を駆動制御装置Ｍ１へ入力し、駆動制御装置Ｍ１からの作動命令によってモータによる装置の回転駆動が開始されると、裏面全面に糊付けされたクロス１００が本体前面から送り出され、所望の長さとなるとカッタで切断される。この所望長さの糊付け済みクロス１００が所望枚数得られたら、駆動制御装置Ｍ１からの停止命令によってモータが装置駆動を停止し、次のクロスの所望長さが入力され、作動命令が生じると再び装置駆動を始める。通常、作業現場ではこの操作が繰り返し行われる。
【００１０】
【発明が解決しようとする課題】
しかしながら、上記の如く、設定入力値を変更する際などに装置駆動を停止させると、その停止時間が長いほど、糊付けロール１１５表面に付いていた糊が、下方へ流れ落ち、糊付けロール１１５とドクターロール１１４との間Ａ点および糊付けロール１１５と糊上げロール１１７との間Ｂ点に糊が溜ってしまう。
【００１１】
従って、この状態で再び装置を駆動させてクロス１００裏面への糊塗布を始めると、糊付けロール１１５の表面の糊が流れ落ちて糊の付着が減少した領域Ｃとの当接が始まり、図５の模式図に示すように、糊付け済領域Ｔの後端から糊塗布量不足領域Ｙが生じる。
【００１２】
この糊塗布不足領域Ｙは、各ロールの回転駆動が進んで糊桶１０４から糊上げロール１１７によって糊が載せ上げられて糊付けロール１１５への糊転写が再開し、必要量の糊がクロス１００へ塗布される安定領域Ｓが始まるまでの間に、Ａ点およびＢ点の通過に伴って一時的に塗布糊量が増加する部分と交互に繰り返し現れる。
【００１３】
このような糊塗布量不安定領域Ｕは、例えば一般的な壁紙糊付機において、糊付けロール１１５の直径が約８．８ｃｍで糊上げロール１１７の直径が約５．２ｃｍの時、停止３０分後の再駆動時では約６０〜８０ｃｍにまで亘る。この長い糊塗布量不安定領域Ｕを持つクロス１００部分は壁に充分な接着力で貼り付けることができないので切断する必要が生じる。これはクロスをむだにすると共に作業効率を悪化させる。
【００１４】
本発明は、上記問題点に鑑み、一時停止後の再駆動開始時に生じる糊塗布量不安定領域を従来より大幅に低減でき、シート状壁装材の無駄を省いて糊付作業効率を向上できる自動壁紙糊付機の提供を目的とする。
【００１５】
【課題を解決するための手段】
上記目的を達成するため、請求項１に記載の発明に係る自動壁紙糊付機では、本体内に配置された糊桶と、本体後部から糊桶上にシート状壁装材を取り込むピンチロールと、ピンチロールによって取り込まれたシート状壁装材の裏面にピンチロールの下流位置で糊桶内の糊を転写する糊付ロールと、糊付ロールの表面に糊桶内の糊を移す糊上げロールと、糊付ロールの糊量を調節するドクターロールと、これら各ロールの駆動系とを備え、ロールによる搬送でシート状壁装材を本体前方へ送りながらその裏面に連続的に糊を塗布する自動壁紙糊付機において、ピンチロールと糊付ロールとの間の位置でシート状壁装材を表裏から挟む回転可能なロール対と、シート状壁装材を挟んだ状態のままのロール対を、シート状壁装材が糊付ロールに対して糊転写のための所定の周長に亘る接触状態となる第１の位置から、シート状壁装材が糊付ロールに対して糊転写のための接触状態から離反した待避状態となる第２の位置へ選択的に移動させる可動機構と、ロール対が第１の位置にあるときには駆動対象の全てのロールを予め定められた周速比で回転駆動する通常運転モードに、またロール対が第２の位置にあるときにはピンチロールによるシート状壁装材の搬送を停止した状態で糊付ロールと糊上げロールとドクターロールのみを回転駆動するアイドリング運転モードにロール駆動系を切換える駆動系切換機構と、可動機構と駆動系切換機構を制御する制御装置と、を備え、制御装置は、糊付動作の起動操作および／または一時停止後の再開操作に基づいて可動機構によりロール対が第２の位置にあることを条件に予め定められた時限に亘って駆動系切換機構によりロール駆動系をアイドリング運転モードに切り換え、前記時限の経過後に可動機構によりロール対を第１の位置に復帰させると共に駆動系切換機構によりロール駆動系を通常運転モードに切り換えるものである。
【００１７】
本発明においては、可動機構によって、シート状壁装材を挟んだ状態のままのロール対を、通常の糊付運転におけるシート状壁装材の糊転写のための糊付ロール接触状態である第１の位置から、シート状壁装材が糊付ロールに対して前記接触状態から離反した待避状態となる第２の位置へ選択的に移動させることができると共に、駆動系切換機構によってロール対が第２の位置にあるときにアイドリング運転モードに切換えてシート状壁装材のピンチロールによる搬送を停止した状態で糊付ロールと糊上げロールとを個別的に回転駆動できるため、糊付機の一時停止後の再駆動時において、ロール対を第２の位置に移動させてシート状壁装材を糊付ロールから離した状態でアイドリング運転モードで糊上げロールと糊付ロールとを所定時間回転駆動させれば、シート状壁装材に対して何ら影響を生じることなく、糊付機停止中に糊が流れ落ちて表面の糊付着量が減少してしまった糊付ロール表面に糊上げロールによって糊桶内の糊を移し、実際の再駆動が始まる前に再び充分な糊を糊付ロール全面に付着させておくことができる。
【００１８】
従って、糊上げロール及び糊付ロールのアイドリング運転における所定時間回転駆動によって糊付ロール表面への充分な糊付着量が得られたら、可動機構によってロール対を第１の位置に戻してシート状壁装材を糊付けロール表面に接触状態とし、駆動系切換機構によって通常運転モードに切換えれば、シート状壁装材裏面の前回の駆動停止位置に相当する糊付済部の後端部直後から安定した糊付が開始され、従来のような糊塗布量不足領域（図４中の領域Ｙ）を含む不安定領域が無くなる。その分、壁装材の無駄や切り取りのための手間を省くことができ、壁装材の糊付け及び壁貼り工程が効率的となる。
【００１９】
また、壁紙糊付機の運転開始時には、一般的に初期設定としてシート状壁装材を本体内にセットしてから各ロールを駆動し、シート状壁装材の搬送状態のままで糊付ロール表面への糊の付着が充分安定するまで初期運転を行い、シート状壁装材先端の糊付が不十分な部分を切り取っていた。しかし、本願発明による自動紙糊付機においては、シート状壁装材の搬送停止状態で糊付ロール表面への糊付着を行うアイドリング運転ができるため、このアイドリング運転を、一時停止後の再稼働時だけでなく、運転開始当初の初期設定においても行えば、さらに壁装材の無駄を省くことができる。
【００２０】
このようなアイドリング運転は必要以上に長くならないように適当な時間、あるいは糊付ロール回転量に制御することが望ましい。また、シート状壁装材が糊付ロールと接触状態にあるままで誤ってアイドリング運転モードになってしまうことのないように、アイドリング運転モードへの切換時には必ずロール対がシート状壁装材を糊付ロールから離して待避状態とする第２の位置にあるように制御することが好ましい。
【００２１】
そこで、可動機構と駆動系切換機構を制御する制御装置を設けておき、糊付動作の起動操作および／または一時停止後の再開操作に基づいて可動機構によりロール対が第２の位置にあることを条件に予め定められた時限に亘って駆動系切換機構によりロール駆動系をアイドリング運転モードに切り換え、前記時限の経過後に可動機構によりロール対を第１の位置に復帰させると共に駆動系切換機構によりロール駆動系を通常運転モードに切り換えるように制御する設定とすれば、必要以上のアイドリング運転も、ロール対が第１の位置にあるまま誤ってアイドリング運転モードになってしまうことも避けられ、一時停止後の再駆動時においても常に、安定で効率的な糊付作業が行える。
【００２２】
本発明のロール対は、回転可能にシート状壁装材を表裏で挟めると共に、可動機構によってシート状壁装材を挟んだまま第１の位置と第２の位置とに移動できるロール構成であれば良いが、例えば、従来から一般的な壁紙糊付機に備えられている押さえロールを利用すれば簡便に構成することができる。即ち、ピンチロールと糊付ロールとの間でシート状壁装材を上から押さえて追従回転する押さえロールの下方に、この押さえロールと対になって下側からシート状壁装材を挟むロールをさらに設ければ良い。
【００２３】
なお、本発明のロール対は、上記の如き上下２つのロールから構成されるものに限らず、例えば、歯合状に配列された上２つ下１つあるいは上１つ下２つのロール構成など、３以上のロールから構成しても良く、基本的にシート状壁装材を表裏で挟める構成であれば利用可能である。
【００２４】
また、本発明の可動機構としては、ロール対を移動させるものであるため、ロール対を軸支するラック部材自体を移動する機構とする構成が簡便である。特に、ラック部材を移動可能に回転駆動系に組み込み、駆動系切換機構による切換えに連動してラック部材が移動する構成とすれば、制御装置による制御系が統一できるので装置設計が煩雑大型化しないで済む。
【００２５】
また、一般的な自動壁紙糊付機では、モータ等の駆動源による糊付ロールの回転駆動がギアを介して他のロールに伝達されることによって、複数のロールの連動でシート状壁装材搬送に伴う糊付作業という連続工程が実現されている。
【００２６】
そこで、このような各ロールが連動されている回転駆動系を持つ壁紙糊付機においては、例えば、駆動源のモータ回転軸の逆回転を利用し、各ロールを連動するギア系に一方向にのみ回転を伝えるワンウエイクラッチや噛み合いクラッチ等を使用することによって本発明の駆動系切換機構を構成することができる。
【００２７】
即ち、アイドリング運転モードへ切換えた際には、モータ回転軸が逆回転駆動し、この回転はシート状壁装材の搬送用ロールには伝達されることなく、糊付ロール及び糊上げロールへ糊付運転時と同じ順回転となるように伝達するようにギアを配置すれば良い。このとき、前記逆回転を可動機構におけるロール対の位置移動に利用することによって、駆動系切換機構と可動機構との連動制御が簡便となる。
【００２８】
例えば、前記逆回転がロール対を軸支するラック部材に伝達されるとラック部材が移動し、ロール対が第１の位置から第２の位置へ移動される構成が簡便な設計として考えられる。このような構成においては、再び通常運転モードに切換えられた時、モータ回転軸の順回転が全ロールに伝達されると共にラック部材にも伝達され、ロール対を第２の位置から第１の位置に戻すようにラック部材が移動される。
【００２９】
以上のように、駆動源の逆回転とワンウエイクラッチ等を組み込んだギア系を利用すれば、基本的構成は従来の自動壁紙糊付機を使用して本発明の可動機構および駆動系切換機構を備えた自動壁紙糊付機を装置設計の大幅変更することなく構成できるとともに、制御装置の制御系もシンプルにできるため、装置の大型化が避けられるため、壁紙糊付機の製造、使用時の搬送、扱い共に簡便である。
【００３０】
【発明の実施の形態】
本発明の一実施の形態による自動壁紙糊付機の概略構成を、図１の側面透視図に示す。本壁紙糊付機は、基本的なロール構成については図４に示した従来装置と同様であり、駆動系切換機構による通常運転モードとアイドリング運転モードとの切換え、および可動機構によるロール対の第１の位置と第２の位置との切換えに、駆動源であるモータの逆回転と、各ロールを連動するギア系に組み込まれるワンウエイクラッチを利用したものである。
【００３１】
糊付機本体１は、従来の自動壁紙糊付機と同様に上部構体２と内部に糊桶４を備えた下部構体３とで構成され、この上下部構体（２，３）内に複数のロール（１０〜１７）が互いにギアを介して配列されているものである。
【００３２】
上部構体２内には、クロス１００を糊付機本体１内に後部側から取り込むためのピンチロールを構成する上側ピンチロール１０と、クロス１００に糊付機本体１の前部方向への送り出し張力を付与するためのドライブロール１１とが、互いに所定間隔で平行に配列されるように、それぞれ上部構体２の側板に軸支されている。
【００３３】
なお、従来はこれら上部構体内２の上側ピンチロール１０とドライブロール１１との間にクロス１００を上から押さえて追従回転する押さえロールが備えられているのが一般的であるが、本実施形態においては、後述の下部構体３内でロール対１３を構成する上下２つのロールの一方（上側ロール１３ｘ）を押さえロールとして兼用する構成とする。
【００３４】
また、下部構体３内には、前記上側ピンチロール１０と対になってピンチロールを構成する下側ピンチロール１２と、糊上げロール１７から転写された糊をクロス１００裏面に塗布する糊付けロール１５と、糊付けロール１５に接して糊量を調節するドクターロール１４と、前記ドライブロール１２と共にクロス１００に適度な張力を与えて前部方向へ送り出す均しロール１６とが、互いに所定間隔を持って平行に配列されるように、下部構体３の側板に軸支されている。下部構体３内下方には、糊上げロール１７によって糊付ロール１５へ移される糊を収容する糊桶４が設置されており、糊上げロール１７がこの糊桶４の内部両側面に軸支されている。
【００３５】
また、下部構体３内には、一対のラック部材２０にそれぞれ互いに平行配列で軸支された上側ロール１３ｘと下側ロール１３ｙとから構成されるロール対１３が備えられている。このロール対１３は、上側ロール１３ｘと下側ロール１３ｙとの間にクロス１００を表裏で挟むものであり、可動機構としてのラック部材２０の移動に伴って、図１中点線で現した通常運転モードにおける第１の位置から、図中実践で現したアイドリング運転モードにおける第２の位置へ移動されるものである。
【００３６】
また、本自動壁紙糊付機の駆動系の構成は以下の通りである。まず、通常運転モードでの動作に沿って説明すると、図２（ａ）の下部構体３を上方から見た概略構成図（ローラ対１３部分は省略）に示すように、糊付機外面に取付けられた駆動機構としてのモータＭの回転軸のギアＧ３と糊付ロール１５の一端側（以後、各ロール回転軸のモータＭ側を一端側、モータＭに対向する側を他端側と記す）の回転軸にワンウエイクラッチが組込まれたギアＧ５とが歯合しており、このモータＭの通常運転モードにおける順回転駆動は、ギアＧ３およびギアＧ５を介して糊付けロール１５に伝達され、糊付ロール１５を回転駆動する。
【００３７】
ただし、ギアＧ５はモータＭの逆回転がギアＧ３を介して伝達されると、糊付ロール１５の一端側の回転軸に対してワンウエイクラッチによりスリップし、糊付ロール１５へは逆回転を伝達しない。
【００３８】
また、糊付ロール１５の他端側の回転軸には、ギアＧ７およびその外側にワンウエイクラッチが組込まれたギアＧ８が備えられている。このうちギアＧ７は、ドクターロール１４他端側の回転軸に備えられているギアＧ６に歯合しており、これを介してドクターロール１４に糊付ロール１５とは逆方向の回転を伝達する。
【００３９】
なお、ドクターロール１４の一端側の回転軸には、ワンウエイクラッチが組込まれたギアＧ４が備えられているが、このギアＧ４はモータＭの回転軸に備えられているギア３に歯合している。このため、糊付ロール１５の回転方向と同方向、即ちドクターロール１４とは逆方向の回転が伝達されるが、この回転方向においては回転軸に対してワンウエイクラッチでスリップされるので、ドクターロール１４との間にストレスは生じない。
【００４０】
一方、ドクターロール１４の他端側回転軸には、ギアＧ６の外側にワンウエイクラッチが組込まれたギアＧ９がさらに備えられており、糊付ロール１５他端側回転軸の外側のギアＧ８と歯合しているギアＧ１０に歯合している。従って、ギアＧ９には、ギア１０を介して糊付ロール１５の回転駆動と同方向、即ちドクターロール１４と逆方向の回転が伝達される。ただし、この逆方向回転においてギアＧ９はドクターロール１４回転軸に対してワンウエイクラッチでスリップされるので、ドクターロール１４へとの間にストレスは生じない。
【００４１】
このギアＧ９の逆回転は、これに歯合するギアＧ１３を介して下側ピンチロール１２の他端側回転軸に備えられたギアＧ１４に反転して伝達され、下側ピンチロール１２を糊付ロール１５と同方向に回転させる。なおギアＧ１４はワンウエイクラッチが組込まれたものであり、この糊付ロール１５回転方向と逆方向の回転においては、下側ピンチロール１２の他端側回転軸に対してスリップするものである。
【００４２】
さらに、モータＭの回転軸には、ギアＧ３の外側（モータＭ側）に回転軸に対して互いに逆回転方向にスリップするワンウエイクラッチをそれぞれ組込まれたギアＧ１及びギアＧ２が更に備えられてると同時に、糊付ロール１５を挟んで対称位置に相当するギアＧ１０の同一回転軸に、同様に互いに逆回転方向にスリップするワンウエイクラッチをそれぞれ組込まれたギアＧ１１及びギアＧ１２が更に備えられてる。
【００４３】
これら一端側のギア（Ｇ１，Ｇ２）と他端側のギア（Ｇ１１，Ｇ１２）には、それぞれ前述した一対のラック部材２０が歯合しており、一対のラック部材２０間に互いに平行状態でロール対１３を構成する上側ロール13xと下側ロール１３ｙが軸支されている。
【００４４】
ギアＧ１はモータＭの通常運転モードにおける順回転の際に同方向に回転駆動され、同時にモータＭの回転軸から、ギアＧ２、ギアＧ５、糊付ロール１５、ギアＧ７、ギアＧ８、ギアＧ１０を介してモータＭの順回転が伝達されたギアＧ１２は、ギアＧ１と対になって同方向に回転駆動される。従って、図２（ｂ）のギア３以降を省いた部分図にも示すように、これらギア（Ｇ１，Ｇ１２）の回転に伴って、ロール対１３が所定の第１の位置（図１中点線で現した位置）に来るまで一対のラック部材２０が一体的に斜め下方へ移動される。
【００４５】
このラック部材２０の移動は、ロール対１３の第１の位置に相当するラック部材２０の位置、即ち上部凹部２０ｘがギア（Ｇ１，Ｇ１２）上に到達すると、両者の嵌合がなくなってギア（Ｇ１，Ｇ１２）が空回りを始め、それ以上のラック部材２０の下方への移動が規制される。その後は通常運転モードの間中、ギア（Ｇ１，Ｇ１２）は空回りを続けてラック部材２０、即ちロール対１３の位置が第１の位置に固定される。
【００４６】
また、上記の如くギア（Ｇ１，Ｇ１２）がラック部材２０を下方へ移動させる方向へ回転駆動した時、ギアＧ２及びギアＧ１１はその回転方向においては回転軸に対してワンウエイクラッチによってスリップし、ラック部材２０の移動に伴う追従回転以外は回転駆動しない。
【００４７】
なお、ここでは説明を簡単にするため図示を省略したが、糊付ロール１５の下方に位置する糊上げロール１７および前方に位置する均しロール１６は、糊付ロール１５の回転駆動に伴い、それぞれ不図示のギアを介して糊付ロール１５の回転が伝達され、糊上げロール１７は糊付ロール１５の回転とは逆の方向に、均しロール１６は糊付ロール１５と同一方向に回転駆動される。
【００４８】
以上のように、通常運転モードにおいては、ロール対１３が第１の位置に固定され、ロール対１３に挟まれるクロス１００が糊付ロール１５に対する糊転写のための周長に亘る接触状態が維持されつつ、各ロールの回転駆動によりクロス１００の搬送およびこれに伴うクロス１００裏面への糊転写が連続的に進行して行く。
【００４９】
次に、アイドリング運転モードにおける動作に沿って駆動系を説明すると、図３（ａ）の下部構体３を上方から見た概略構成図（ローラ対１３部分は省略）に示すように、不図示の制御装置においてアイドリング運転モードへの切換え指令が入力されると、制御装置からの信号によってモータＭの回転駆動が通常運転モードにおける順回転と逆方向の回転が開始される。
【００５０】
モータＭの逆回転は、回転軸からギアＧ３へ伝わり、ギアＧ３に歯合しているドクターロール１４の一端側回転軸に備えられているギアＧ４に反転して伝達され、ドクターロール１４をモータＭと逆方向に回転駆動させる。この回転駆動亜はさらにドクターロール１４の他端側回転軸のギアＧ６を介してこれに歯合する糊付ロール１５他端側回転軸のギアＧ７に伝達され、糊付ロール１５をドクターロール１４とは逆方向に回転駆動させる。このドクターロール１４及び糊付ロール１５の回転駆動は、それぞれ通常運転モードにおける回転駆動と同一方向である。
【００５１】
なお、このとき糊付ロール１５一端側回転軸のギアＧ５も、歯合しているギアＧ３によってモータＭの逆回転が伝達され、糊付ロール１５の回転方向と逆方向に回転される。しかし、この方向における回転では、ギアＧ５はワンウエイクラッチによって回転軸に対してスリップするため、糊付ロール１５との間にストレスを生じることはない。
【００５２】
また、ドクターロール１４の他端側回転軸のギアＧ９は、ギアＧ６と共に同方向へ回転駆動し、この回転駆動は歯合するギアＧ１３を介して下側ピンチロール１２の他端側回転軸のギアＧ１４に伝達する。しかし、ギアＧ１４の回転は糊付ロール１５の回転方向と逆方向であるため、ワンウエイクラッチにより下側ピンチロール１２の他端側回転軸に対してスリップし、下側ピンチロール１２へ回転を伝達することはない。
【００５３】
一つのラック部材２０にそれぞれ歯合する一端側のギア（Ｇ１，Ｇ２）と他端側のギア（Ｇ１１，Ｇ１２）のうち、一端側ではモータＭの逆回転駆動が伝達されてギアＧ２がモータＭと同方向に回転駆動すると同時に、ギアＧ９の回転駆動がギアＧ１０を介してギアＧ１１に伝達され、これをを糊付ロール１５と同方向に回転駆動させる。
【００５４】
このとき、一端側のギアＧ１はモータＭの逆回転の方向においてはワンウエイクラッチにより回転軸に対してスリップし、回転駆動されない。また他端側のギアＧ１２は、この回転方向においては回転軸に対してワンウエイクラッチによりスリップするものであるため、糊付ロール１５と同方向の回転は伝達されない。
【００５５】
なお、このこのとき、ギアＧ１０と歯合するギアＧ８にも回転が伝達され、このギアＧ８は糊付ロール１５と逆方向に回転されるが、この回転方向においては、糊付ロール１５の回転軸に対してワンヌエイクラッチによってスリップするため、糊付ロール１５の回転に影響を生じることはない。
【００５６】
従って、図３（ｂ）のギア３以降を省いた部分図にも示すように、これらギア（Ｇ２，Ｇ１１）の糊付ロール１５と同方向の回転に伴って、ロール対１３が所定の第２の位置（図１中実線で現した位置）に来るまで一対のラック部材２０が一体的に斜め上方へ移動される。
【００５７】
このラック部材２０の移動は、ロール対１３の第２の位置に相当するラック部材２０の位置、即ち下部凹部２０ｙがギア（Ｇ２，Ｇ１１）上に到達すると、両者の嵌合がなくなり、ギア（Ｇ２，Ｇ１１）が空回りを始め、それ以上のラック部材２０の上方への移動が規制される。その後はアイドリング運転モードの間中、ギア（Ｇ２，Ｇ１１）は空回りを続けてラック部材２０、即ちロール対１３の位置が第２の位置に固定される。
【００５８】
上記の如くギア（Ｇ２，Ｇ１１）がラック部材２０を上方へ移動させる方向へ回転駆動した時、ギアＧ１及びギアＧ１２はその回転方向においては回転軸に対してワンウエイクラッチによってスリップし、ラック部材２０の移動に伴う追従回転以外は回転駆動しない。
【００５９】
なお、ここでは説明を簡単にするため図示を省略したが、糊付ロール１５の下方に位置する糊上げロール１７は、モータＭの逆回転駆動に伴って不図示のギアを介してドクターロール１４の回転が伝達され、糊付ロール１５と同方向に回転駆動する。また、糊付ロール１５の前方に位置する均しロール１６は、糊付ロール１５のモータＭの逆回転駆動に伴い、不図示のギアに組込まれたワンウエイクラッチによる回転軸に対するスリップをによっていずれの回転も伝達されず、停止状態にあるものとする。
【００６０】
以上のように、アイドリング運転モードにおいては、下側ピンチロール１２および均しロール１６を含むクロス搬送用ロールへは回転駆動は伝達されず回転するがないため、クロス１００の搬送が停止された状態であると同時に、ロール対１３が第２の位置に固定され、ロール対１３に挟まれるクロス１００が糊付ロール１５に対する糊転写のための接触状態から上方へ離反した待避状態が維持されつつ、ドクターロール１２、糊付ロール１５および糊上げロール１７のみが回転駆動し、糊付ロール１５表面への糊の付着が行われていく。
【００６１】
このアイドリング運転モードは、図糊付ロール１５の全表面に亘ってまんべんなく糊が付着するまでの間で良く、例えば、数秒間、糊付ロール１５の２〜３回転分で充分である。
【００６２】
通常の糊付運転を一時停止し再び糊付運転を開始する際には、常に所定時間だけ上記のアイドリング運転を行えば、壁装材裏面に図５で示したような糊塗布量不安定領域Ｕが生じることなく直ちに充分な糊付けが始まり、前回運転時の糊付け済領域Ｔの後端に続いて安定領域Ｓが得られる。従って、シート状壁装材の糊付着が不十分な部分を切り取るという無駄がなくなり、作業工程が全体的に効率よくなる。
【００６３】
また、ロール対１３の第１の位置と第２の位置の間の切換えと駆動系の通常運転モードとアイドリング運転モードとの切換えが、制御装置に予め入力した設定に沿って行われるように構成すれば、一時停止後の再稼働時には常に自動的に所定時間だけアイドリング運転を行うように設定して再稼働の度毎に各切換え操作を行う手間を省くことができ、作業工程の効率化が図れる。
【００６４】
本実施形態における自動壁紙糊付機では、上記のギア構成により如くロール対１３の第１の位置と第２の位置との切換えが駆動系の通常運転モードとアイドリング運転モードとの切換えに連動しており、且つこの駆動系の通常運転モードとアイドリング運転モードとの切換えが、モータＭの回転駆動方向の切換えによって行われるものであるので、モータＭの回転駆動を所望の設定に従って制御できる制御装置を備えれば、前記自動的なアイドリング運転が容易に実現できる。
【００６５】
即ち、運転再開命令に応じて先ずモータＭの逆回転駆動を始めれば、ロール対１３が第２の位置へ移動してシート状壁装材が搬送停止状態のままアイドリング運転が行われ（図２）、予め定められた時間が経過した後、モータＭを順回転方向へ回転駆動へ切換えれば、アイドリング運転が停止され、ロール対１３が第１の位置へ戻って通常の糊付運転が行われる（図３）。
【００６６】
上記の如き構成の壁紙糊付機を用いた糊付け作業においては、まず、初期設定として、下部構体３に対して上部構体２を開いた状態とし、装置が通常運転モードの状態であること、即ち、ロール対１３が第１の位置にあることを確認したうえで、糊付機本体１の後部に取付けられたスリッタ１２０を通過して所定幅に調整されるシート状壁装材（クロス）１００の先端を引き出して、ロール対１３の上側下側ロール（１３ｘ，１３ｙ）間に通し、その先端が本体全面側に垂れるようにクロス１００を下側ピンチロール１３，糊付けロール１５，均しロール１６の上に載せ、上部構体２を閉じ、クロス１００の挟み込み状態を得る。
【００６７】
このようにクロス１００がセットされた状態において、制御装置へ初期運転に必要なアイドリング運転モードと通常運転モードの切換や各モードにおけるモータＭの回転速度や運動時間に相当する回転駆動時間等の条件を入力した後、制御装置を介して初期運転開始を命令する。
【００６８】
この初期運転開始命令によってアイドリング運転モードへの切換えとしてモータＭへ逆回転駆動開始が指示される。モータＭが逆回転駆動を始めると、ロール対１３がラック部材２０の移動に伴って第２の位置へ移動し、クロス１００が糊付ロール１５表面から離反した待避状態となり、この待避状態が維持されると共にクロス搬送停止状態において糊上げロール１７，糊付ロール１５、ドクターロール１４が所定の周速比で回転駆動を開始する。
【００６９】
これらの回転駆動に伴い、糊上げロール１７は糊桶４内の糊を載せ上げつつ、糊付けロール１５へ糊を転写し、糊付けロール１５の表面へ転写された糊は、ドクターロール１４によって所定量に調整され、糊付ロール１５表面には、安定した量の糊がまんべんなく付着されていく。
【００７０】
予め設定された時間が経過した時点で制御装置からモータＭへ回転駆動停止が指示され初期運転におけるアイドリング運転が終了する。次いでアイドリング運転モードから通常運転モードへの切換としてモータＭへ順回転駆動開始が指示される。モータＭが順回転駆動を始めると、ロール対１３がラック部材２０の移動に伴って第１の位置へ移動し、クロス１００が糊付ロール１５の頭頂部付近の表面に対して接触状態となる。
【００７１】
クロス１００は、この接触状態のまま各ロールの回転駆動により前方へ搬送され、この搬送に伴って、糊付ロール１５表面の糊が裏面に連続的に転写塗布されていく。この通常運転が所定時間経過し、クロス１００の糊塗布済部分が本体部１の前面へ送り出されて来た時点で制御装置からモータＭへ回転駆動停止が指示され初期運転における通常運転が終了する。クロス１００先端の糊付けされていない不要な部分をカッタで切断して初期設定を終了する。
【００７２】
以上の初期設定終了後、実際に必要なクロス長等の条件設定を制御装置へ入力し、その作動命令によってモータＭへ本運転開始のための順回転駆動が指示されれ、通常の糊付運転が行われる。この本運転において、裏面に糊塗布されたクロス１００が連続的に本体前面から送り出され、所望の長さでカッタで切断される。所望枚数が得られるまで、通常運転が行われ、糊付け後に設定長さで切断されたクロス１００が積層される。
【００７３】
この所望長さの糊付け済みクロス１００が所望枚数得られたら、制御装置を介した停止命令によってモータＭの回転駆動を停止する。或る時間経過後、再び、異なる長さの糊付けクロスを得る場合、運転再開前に新しいクロス用条件設定と共に、所望のアイドリング運転を行わせるための設定を制御装置へ入力する。
【００７４】
制御装置を介して運転再開が命令されると、入力された設定に従って、先ずモータＭへアイドリング運転モードへの切換えが指示される。即ち、モータＭの逆回転駆動が開始され、ロール対１３が第２の位置へ移動し、クロス１００が糊付ロール１５表面から離反した待避状態となり、この待避状態が維持されると共にクロス搬送停止状態において糊上げロール１７，糊付ロール１５、ドクターロール１４が所定の周速比で回転駆動を開始する。
【００７５】
これらの回転駆動に伴い、糊上げロール１７は糊桶４内の糊を載せ上げつつ、糊付けロール１５へ糊を転写し、糊付けロール１５の表面へ転写された糊は、ドクターロール１４によって所定量に調整され、一時停止中に表面を滑り落ちて糊の付着量が減少していた糊付ロール１５表面には、再び安定した量の糊がまんべんなく付着されていく。
【００７６】
予め設定された時間が経過した時点で制御装置からモータＭへ回転駆動停止が指示されてアイドリング運転が終了する。次いでアイドリング運転モードから通常運転モードへの切換としてモータＭへ順回転駆動開始が指示される。モータＭが順回転駆動を始めると、ロール対１３がラック部材２０の移動に伴って第１の位置へ移動し、クロス１００が糊付ロール１５の頭頂部付近の表面に対して接触状態となり、クロス１００裏面の前回の糊付運転における糊塗布済領域の終端位置から連続的な糊付が再開する。作業現場においては、糊付機を一時停止して或る時間経過後に再駆動させる度に、上記の設置入力操作を適宜繰り返せばよい。
【００７７】
以上のように、本実施形態による自動壁紙糊付機では、一時停止後の再駆動開始直後のクロス裏面の糊塗布量不安定領域Ｕは、従来に比べて大幅に低減され、クロスの無駄や切断の手間がほとんど省けるだけでなく、初期設定の初期運転においてもクロスの無駄が低減できる。
【００７８】
なお、以上の実施の形態においては、ラック部材の移動を利用したロール対の可動機構と駆動系切換機構とをギアの配置によって連動した場合を示したが、両機構を互いび別個に設け、ロール対の位置移動および通常運転モードとアイドリング運転モードとの切換えを、それぞれの機構で順次操作する構成しても良い。ただし、両機構を連動させた構成の方が、ロール対位置と駆動系との切換制御が簡便でより効率的となるため好ましい。
【００７９】
【発明の効果】
以上説明したとおり、本発明による自動壁紙糊付機によれば、通常運転開始前にシート状壁装材の搬送停止状態でのアイドリング運転で糊付ロール表面に常に必要な糊を付着させておくことができるため、シート状壁装材の無駄や手間を省いて糊付作業の効率化が図れるという効果がある。
【図面の簡単な説明】
【図１】本発明の一実施形態による自動壁紙糊付機の概略構成を説明するための側面透視図である。
【図２】図１の自動壁紙糊付機の通常運転モードにおける動作を示す説明図であり、（ａ）は下部構体を上面から見た概略構成図であり、（ｂ）は可動機構を説明する部分構成図である。
【図３】図１の自動壁紙糊付機のアイドリング運転モードにおける動作を示す説明図であり、（ａ）は下部構体を上面から見た概略構成図であり、（ｂ）は可動機構を説明する部分構成図である。
【図４】一従来技術による自動壁紙糊付機の概略構成を説明するための側面透視図である。
【図５】図４の従来の自動壁紙糊付機で糊塗布されたクロス裏面を示す模式図である。
【符号の説明】
１，１０１：糊付機本体
２，１０２：上部構体
３，１０３：下部構体
４，１０４：糊桶
１０，１１０：上側ピンチロール
１１１：押さえロール
１１，１１２：ドライブロール
１２，１１３：下側ピンチロール
１３：ロール対
１３ｘ：上側ロール
１３ｙ：下側ロール
１４，１１４：ドクターロール
１５，１１５：糊付けロール
１６，１１６：均しロール
１７，１１７：糊上げロール
２０：ラック部材
２０ｘ：上凹部
２０ｙ：下凹部
１００：クロス（シート状壁装材）
１２０：スリッタ
Ｇ１〜Ｇ１４：ギア
Ｍ：モータ
Ｔ：糊付け済領域
Ｕ：糊塗布量不安定領域
Ｓ：安定領域
Ｙ：糊塗布量不足領域
【図１】
0004242471.tif 000002
【図２】
0004242471.tif 000003
【図３】
0004242471.tif 000004
【図４】
0004242471.tif 000005
【図５】
0004242471.tif 000006